(57)【要約】【課題】通常の警棒としても使用でき、武術の心得がない人でも、数メートル離れた位置から相手に確実な威嚇効果を与えることができる催涙スプレー付き警棒を提供する。【解決手段】径の異なる複数本の筒体１、２、３を入れ子式に組み合せた警棒である。各筒体１、２、３の内部にそれぞれ径の異なるパイプ８、９、１０を設け、各パイプをシールスライダ１１により伸縮自在に接続する。握り部５の内部に催涙スプレーが充填されたカートリッジ１６を収納し、パイプ１０の基部をカートリッジ１６に接続し、最小径の筒体１に設けられたパイプ８の先端をノズル７に接続する。伸長状態でも折り畳み状態でも、数メートル先まで催涙液を飛ばすことができる。【選択図】図１
2008057808.tif 000002
【特許請求の範囲】
【請求項１】
径の異なる複数本の筒体を入れ子式に組み合せた警棒であって、握り部の内部に催涙スプレーが充填されたカートリッジの収納部を設けるとともに、各筒体の内部にそれぞれ径の異なるパイプを設けて各パイプをシールスライダにより伸縮自在に接続し、最大径の筒体に設けられたパイプの基部をカートリッジに接続し、最小径の筒体に設けられたパイプの先端をノズルに接続したことを特徴とする催涙スプレー付き警棒。
【請求項２】
シールスライダが、筒体内に固定される円筒部材の内部にOリングを収納したものであることを特徴とする請求項１記載の催涙スプレー付き警棒。
【請求項３】
Oリングがフッ素樹脂加工されたものであることを特徴とする請求項２記載の催涙スプレー付き警棒。
【請求項４】
パイプが、先端側ほど太径となっていることを特徴とする請求項１記載の催涙スプレー付き警棒。
【発明の詳細な説明】
【技術分野】
【０００１】
本発明は、伸縮式の警棒に催涙スプレーの噴射機能を持たせた催涙スプレー付き警棒に関するものである。
【背景技術】
【０００２】
径の異なる複数本の筒体を入れ子式に組み合せた伸縮式の警棒は、特許文献１に示されるように従来から広く知られている。このような警棒は折り畳んだ状態で携帯し、使用時には強く振り出すことによって伸びるようになっている。しかしこのような警棒は武術の心得がないと、うまく使いこなすことが容易でない。
【０００３】
また警備効果を高めるために、警棒の内部に微粉末を収納しておき、握り部に収納した小型ガスボンベから供給されるガス圧により、警棒の先端から微粉末を噴射するものも、特許文献２に示されている。この特許文献２に記載の微粉末は消火薬剤であって、これを警棒の先端から噴射することによって、相手を威嚇する効果が期待されている。しかし消火薬剤を噴霧することによる威嚇効果は心理的なものであって、実効性に乏しいという欠点がある。さらに、相手にかなり接近した位置で噴霧しなければ威嚇効果が期待できないという問題もある。
【特許文献１】特開平７−２８０８９６号公報
【特許文献２】特開２００４−２０５０９６号公報
【発明の開示】
【発明が解決しようとする課題】
【０００４】
本発明は上記した従来の問題点を解決し、通常の警棒として使用できることはもちろん、武術の心得がない人でも、数メートル離れた位置から相手に確実な威嚇効果を与えることができる催涙スプレー付き警棒を提供することを目的とするものである。
【課題を解決するための手段】
【０００５】
上記の課題を解決するためになされた本発明は、径の異なる複数本の筒体を入れ子式に組み合せた警棒であって、握り部の内部に催涙スプレーが充填されたカートリッジの収納部を設けるとともに、各筒体の内部にそれぞれ径の異なるパイプを設けて各パイプをシールスライダにより伸縮自在に接続し、最大径の筒体に設けられたパイプの基部をカートリッジに接続し、最小径の筒体に設けられたパイプの先端をノズルに接続したことを特徴とするものである。
【０００６】
なお、シールスライダが筒体内に固定される円筒部材の内部にOリングを収納したものであることが好ましく、Oリングがフッ素樹脂加工されたものであることが好ましい。またパイプが、先端側ほど太径となっていることが好ましい。
【発明の効果】
【０００７】
本発明の催涙スプレー付き警棒は、径の異なる複数本の筒体を入れ子式に組み合せた警棒であるから、折り畳んだ状態で携帯でき、使用時には強く振り出すことによって伸ばせることは従来品と同様である。しかし各筒体の内部にそれぞれ径の異なるパイプを設けて各パイプをシールスライダにより伸縮自在に接続し、パイプの基部を催涙スプレーが充填されたカートリッジに接続し、パイプの先端をノズルに接続した構造を採用したので、握り部の内部のカートリッジを押せばその内部の催涙液がこれらのパイプの内部を通って先端のノズルから直線的に飛び出し、数メートル離れた位置から相手に吹きかけることができる。
【０００８】
このため、相手は目を開いていることができない状態となり、強い威嚇効果を与えることができる。なお催涙スプレーが充填されたカートリッジは痴漢防止用に市販されているものを使用すれば、噴射された相手に傷害は残らない。ただし、痴漢防止用のスプレーは霧状に広がるノズルが装着されているが、本発明ではパイプとノズルによって催涙液が直線的に数メートル飛び出し、遠くはなれた相手を威嚇することができる。パイプは筒体と同様に伸縮自在であるので、警棒を折り畳んだ状態でも伸ばした状態でも、催涙液を噴射することができる。このため武術の心得がない人でも、数メートル離れた位置から相手の視界を奪うことにより、確実な威嚇効果を与えることができる。
【発明を実施するための最良の形態】
【０００９】
以下に本発明の好ましい実施形態を示す。
図１は本発明の実施形態の警棒を示す全体断面図、図２は折り畳み状態の断面図、図３、は筒体基部の拡大断面図、図４はアダプタ及び握り部の部分の拡大断面図、図５は先端部分の拡大図、図６は使用状態の説明図である。
【００１０】
図１、図２に示すように、この実施形態の警棒は、鋼管よりなる小径、中径、大径の３本の筒体１、２、３を入れ子式に組み合せたものであって、大径の筒体３の基部はアダプタ４にねじ込み固定され、アダプタ４の反対側には握り部５がねじ込み固定されている。大径の筒体３の内径は中径の筒体２の外径より僅かに大きく、また中径の筒体２の内径は小径の筒体１の外径より僅かに大きくなっており、図２に示す折り畳み状態と、図１に示す伸長状態とを取り得ることは従来の折り畳み式警棒と同様である。なお、小径の筒体１の先端部に設けられたノズル７にOリング６を嵌め、大径に筒体３の先端を図２のように弾性的に係合させることによって、折り畳み状態を維持できるようになっている。筒体の数は実施形態のように３本に限定されるものではなく、２本であっても、４本であってもよい。
【００１１】
各筒体１、２、３の内部には、それぞれ細径のパイプ８、９、１０が設けられている。筒体１、２、３とは逆に、これらのパイプは先端側ほど太径となっており、具体的には小径の筒体１の内部に設けられたパイプ８が最も太く、大径の筒体３の内部に設けられたパイプ１０が最も細くなっている。これらのパイプ８、９、１０も、以下に説明するように入れ子式に組み合わされている。これらのパイプ８、９、１０は摺動性とシール性を高めるために、いずれもクロムメッキされたステンレスパイプが使用されている。
【００１２】
図３は小径の筒体１の基部の拡大断面図である。小径の筒体１の内部にはパイプ８が設けられており、中径の筒体２の内部に設けられたパイプ９が、その内部にスライド自在に挿入されている。しかし単にパイプ８にパイプ９を挿入しただけでは、接続部分から高圧の催涙スプレーが洩れるおそれがあるため、本発明では各パイプをシールスライダ１１により気密にかつスライド自在に接続している。
【００１３】
シールスライダ１１は図３に示されるように、円筒部材１２と、その内部に収納されたOリング１３と、円盤部材１４とから構成されている。円盤部材１４は円筒部材１２の前側面からその内部に挿入されてOリング１３を保持し、また円盤部材１４はパイプ８の基部が挿入された状態でパイプ８に溶接されている。中径の筒体２の内部に設けられたパイプ９はこのOリング１３の内部を貫通しており、パイプ９の外面を確実にシールしている。なお、筒体１、２、３を伸縮させる際にはこれらのパイプ８、９、１０も相互に伸縮することとなるため、Oリング１３は表面をフッ素樹脂加工して摩擦抵抗を小さくしておくことが好ましい。
【００１４】
図３は小径の筒体１の基部を示すものであるが、中径の筒体２の基部もこれと同様の構造となっている。このため、図１に示す伸張状態でも、図２に示す収納状態でも、パイプ８、９、１０は気密状態を保ちながら相互に連通する直線経路を構成している。
【００１５】
図４はアダプタ４及び握り部５の部分の拡大断面図である。アダプタ４の先端側部分は中空となっており、パイプ１０の基部がカプラー１５により固定されている。またアダプタ４の反対側には円筒状の握り部５がねじ込み固定されている。この握り部５はその内部に、催涙スプレーがガスとともに充填されたカートリッジ１６を収納できるようになっており、カートリッジ１６の底面を握り部５の孔１７から指先で押すことができるようになっている。
【００１６】
催涙スプレーが充填されたカートリッジ１６は先端にカートリッジノズル１８が設けられており、通常はこのカートリッジノズル１８を内蔵されたスプリングに抗してカートリッジ１６側に押さえることによって、内部の催涙スプレー液がガス圧によって噴射される。しかし本発明ではこのカートリッジノズル１８をニップル１９によってアダプタ４の基部側に固定し、カートリッジ１６に内蔵されているスプリングの力によって、カートリッジ１６を非噴射位置に弾発している。このため図４に示す状態ではカートリッジ１６から催涙スプレーが噴射されることはないが、カートリッジ１６の底面を押すと、カートリッジノズル１８を通じてパイプ１０に催涙スプレーが噴射されることとなる。なお２１はOリングである。
【００１７】
図５は小径の筒体１の先端部分を示す拡大図であり、図示のようにノズル７が筒体１の先端にねじ込み固定されている。また前記したように、ノズル７の外周の溝内にはＯリング６がはめ込まれている。ノズル７は直線流路２２を備え、この直線流路２２の拡大基部２３にパイプ８の先端がねじ込み固定されている。このため、パイプ８、９、１０の内部を流れてきた催涙液はノズル７から直線的に飛び出し、市販の催涙スプレーを使用した場合にも数メートル先まで容易に達する。なおこの実施形態に示すように、パイプ８、９、１０は先端側ほど太径としておく方が、飛距離が長くなるので好ましい。また飛距離は伸長状態でも折り畳み状態でも大差はなく、パイプ８、９、１０はシールスライダ１１によりシールされているので、途中で催涙液やガスが洩れることもない。
【００１８】
このように構成された本発明の催涙スプレー付き警棒は、通常の警棒として使用できることはいうまでもないが、カートリッジ１６の底面を押すと、カートリッジ１６のガス圧によってパイプ１０に向けて催涙液が噴射され、更にパイプ９、８を通ってノズル７から数メートル先まで到達する。このため不法侵入者等の顔面付近に催涙液を付着させれば、一時的に視力を奪うことができる。また催涙液は速やかに気化するため、正確に顔面に当たらなくても視力を奪うことができる。なお、市販の容量１８ｍＬのカートリッジ１６を用いた場合、数回の噴射が可能であるから、複数人に対して噴射することも可能である。さらに、市販の催涙スプレーは唐辛子の成分を含み、相手に後遺症を残すことはない。
【００１９】
このように、本発明の警棒を用いれば、武術の心得がない人でも、数メートル離れた位置から相手に確実な威嚇効果を与えることができ、家屋などへの不法侵入者を撃退することができる。
【図面の簡単な説明】
【００２０】
【図１】本発明の実施形態の警棒を示す全体断面図である。
【図２】折り畳み状態の断面図である。
【図３】筒体基部の拡大断面図である。
【図４】アダプタ及び握り部の部分の拡大断面図である。
【図５】先端部分の拡大図である。
【図６】使用状態の説明図である。
【符号の説明】
【００２１】
１  小径の筒体
２  中径の筒体
３  大径の筒体
４  アダプタ
５  握り部
６  Oリング
７  ノズル
８  パイプ
９  パイプ
１０  パイプ
１１  シールスライダ
１２  円筒部材
１３  Oリング
１４  円盤部材
１５  カプラー
１６  カートリッジ
１７  孔
１８  カートリッジノズル
１９  ニップル
２１  Oリング
２２  直線流路
２３  拡大基部
【図１】
2008057808.tif 000003
【図２】
2008057808.tif 000004
【図３】
2008057808.tif 000005
【図４】
2008057808.tif 000006
【図５】
2008057808.tif 000007
【図６】
2008057808.tif 000008